(57)【要約】【課題】高温で化学反応を行う部分と低温で化学反応を行う部分とを有する反応装置における熱損失を抑える。【解決手段】部材３１〜４３を積層することによって積層体２３が構成される。積層体２３は、枠体２４と、その枠体２４の内側に配設された反応装置本体部２５とを有する。枠体２４の上には上蓋材２１が接合され、枠体２４の下には下蓋材２２が接合され、これらにより箱体が構成される。反応装置本体部２５は、高温反応部２５ｃと、低温反応部２５ｂと、高温反応部２５ｃと低温反応部２５ｂを連結した括れ部２５ｅとを有する。高温反応部２５ｃの下面に電熱パターン６９が形成され、低温反応部２５ｂの下面に配線６９ｃ〜６９ｄが形成され、電熱パターン６９と配線６９ｃ〜６９ｄがボンディングワイヤ７５〜７６によって接続されている。【選択図】図４
2008238000.tif 000002
【特許請求の範囲】
【請求項１】
化学反応を行う高温反応部と、
前記高温反応部よりも低温で化学反応を行う低温反応部と、
前記高温反応部の表面に設けられた電熱材と、
前記低温反応部の表面に設けられ、前記電熱材に通電した配線と、
前記配線に接続されたリード線と、を備えることを特徴とする反応装置。
【請求項２】
前記配線と前記電熱材との間に架設された導電材を更に備え、
前記電熱材が形成された面と前記配線が形成された面は独立して形成され、
前記導電材によって前記電熱材と前記配線が通電することを特徴とする請求項１に記載の反応装置。
【請求項３】
前記電熱材が形成された面と前記配線が形成された面が面一となって連なって、前記配線はその連なった部分の表面に形成されて前記電熱材に通じていることを特徴とする請求項１に記載の反応装置。
【請求項４】
密閉空間を有するとともに、その密閉空間に前記高温反応部、前記低温反応部、前記括れ部、前記電熱材及び前記配線を収容した箱体を更に備え、
前記リード線が前記箱体の内から前記箱体を貫通して前記箱体の外にかけて配索されていることを特徴とする請求項１から３の何れか一項に記載の反応装置。
【請求項５】
前記高温反応部と前記低温反応部が離間していることを特徴とする請求項１から４の何れか一項に記載の反応装置。
【請求項６】
前記高温反応部と前記低温反応部を連結し、前記高温反応部及び前記低温反応部に対して括れた括れ部を更に備えることを特徴とする請求項５に記載の反応装置。
【発明の詳細な説明】
【技術分野】
【０００１】
本発明は、反応装置に関し、特に熱利用効率が高い反応装置に関する。
【背景技術】
【０００２】
近年、エネルギー変換効率の高いクリーンな電源として燃料電池が注目されるようになり、燃料電池自動車や電化住宅などへの実用化が進められてきている。また、小型化・高機能化が進められている携帯電話機やノート型パソコン等においても、電源として燃料電池を搭載するための研究・開発が進められている。燃料電池とは、水素と酸素の電気化学反により発電するものであり、このような燃料電池には、水素を生成する反応装置が接続されている（例えば、特許文献１参照）。反応装置は、燃料を水素に改質する改質器、改質器で生成された微量の一酸化炭素を除去する一酸化炭素除去器等から構成されており、改質器と一酸化炭素除去器はパイプで接続されている。
【特許文献１】特開２００２−３５６３１０号公報
【発明の開示】
【発明が解決しようとする課題】
【０００３】
上記反応装置では、改質器の適正動作温度が一酸化炭素除去器の適正動作温度より高いので、改質器と一酸化炭素除去器をそれぞれの適温に加熱するためには、それぞれに電熱線を設けることが考えられる。そして、改質器の温度と一酸化炭素除去器の温度を異なるものとするには、それぞれの電熱線にリード線を接続し、改質器の電熱線と一酸化炭素除去器の電熱線に別個に電力を与える必要がある。ところが、電熱線で生じた熱がリード線を通じて損失し、特に改質器と常温との間の温度差は一酸化炭素除去器と常温との間の温度差よりも大きいゆえ、改質器における熱損失が大きい。
そこで、本発明の課題は、高温で化学反応を行う部分と低温で化学反応を行う部分とを有する反応装置における熱損失を抑えることである。
【課題を解決するための手段】
【０００４】
以上の課題を解決するため、請求項１に係る発明は、反応装置において、化学反応を行う高温反応部と、前記高温反応部よりも低温で化学反応を行う低温反応部と、前記高温反応部の表面に設けられた電熱材と、前記低温反応部の表面に設けられ、前記電熱材に通電した配線と、前記配線に接続されたリード線と、を備えることを特徴とする。
【０００５】
請求項２に係る発明は、請求項１に記載の反応装置において、前記配線と前記電熱材との間に架設された導電材を更に備え、前記電熱材が形成された面と前記配線が形成された面は独立して形成され、前記導電材によって前記電熱材と前記配線が通電することを特徴とする。
請求項３に係る発明は、請求項１に記載の反応装置において、前記電熱材が形成された面と前記配線が形成された面が面一となって連なって、前記配線はその連なった部分の表面に形成されて前記電熱材に通じていることを特徴とする。
請求項４に係る発明は、請求項１から３の何れか一項に記載の反応装置において、密閉空間を有するとともに、その密閉空間に前記高温反応部、前記低温反応部、前記括れ部、前記電熱材及び前記配線を収容した箱体を更に備え、前記リード線が前記箱体の内から前記箱体を貫通して前記箱体の外にかけて配索されていることを特徴とする。
請求項５に係る発明は、請求項１から４の何れか一項に記載の反応装置において、前記高温反応部と前記低温反応部が離間していることを特徴とする。
請求項６に係る発明は、請求項５に記載の反応装置において、前記高温反応部と前記低温反応部を連結し、前記高温反応部及び前記低温反応部に対して括れた括れ部を更に備えることを特徴とする。
【発明の効果】
【０００６】
本発明によれば、低温反応部の表面に形成された配線が、高温反応部の表面に形成された電熱材に通電し、その配線がリード線に接続されているので、高温反応部の熱がリード線を通じて漏出し難い。また、低温反応部は高温反応部よりも温度が低いため、低温反応部の熱は高温反応部と比較して流出し難い。
【発明を実施するための最良の形態】
【０００７】
以下に、本発明を実施するための好ましい形態について図面を用いて説明する。但し、以下に述べる実施形態には、本発明を実施するために技術的に好ましい種々の限定が付されているが、発明の範囲を以下の実施形態及び図示例に限定するものではない。
【０００８】
＜第１の実施の形態＞
図１は、本発明を適用した反応装置２と、その反応装置２を用いた発電装置１との構成を示したブロック図である。この発電装置１は、例えばノート型パーソナルコンピュータ、携帯電話機、ＰＤＡ（Personal Digital Assistant）、電子手帳、腕時計、デジタルスチルカメラ、デジタルビデオカメラ、ゲーム機器、遊技機、その他の電子機器に備え付けられるものであり、これらの電子機器本体を動作させるための電源として用いられる。
【０００９】
この発電装置１は、小型な反応装置２と、燃料カートリッジ３と、燃料電池を有する発電セル４と、を備える。燃料カートリッジ３には、燃料（例えば、メタノール、エタノール、ジメチルエーテル、ブタン、ガソリン）と水が別々に又は混合した状態で貯留されている。図示しないマイクロポンプによって燃料と水が混合した状態で反応装置２に供給される。
【００１０】
反応装置２は、気化器５と、改質器６と、一酸化炭素除去器７と、改質用燃焼器８と、気化用燃焼器９と、熱交換器１０とを備える。
【００１１】
燃料カートリッジ３から反応装置２に供給された燃料と水は気化器５に送られる。燃料と水が気化器５において気化され、燃料と水の混合気が気化器５から改質器６に流体として送られる。気化器５での燃料と水の気化は、気化用燃焼器９における燃焼熱等を吸熱して引き起こされる。
【００１２】
改質器６は、気化した水と燃料から水素ガス等を触媒反応により生成し、更に微量ながら一酸化炭素ガスを生成する。燃料がメタノールの場合には、次式（１）、（２）のような化学反応が改質器６で起こる。なお、水素が生成される反応は吸熱反応であって、改質用燃焼器８における燃焼熱等が用いられる。
【００１３】
ＣＨ3ＯＨ＋Ｈ2Ｏ→３Ｈ2＋ＣＯ2  …（１）
Ｈ2＋ＣＯ2→Ｈ2Ｏ＋ＣＯ  …（２）
【００１４】
改質器６で生成された水素ガス及び一酸化炭素ガス等を含む改質ガスは一酸化炭素除去器７に送られ、更に外部の空気が一酸化炭素除去器７に送られる。一酸化炭素除去器７は、副生された一酸化炭素を触媒により優先的に酸化させることで、一酸化炭素を選択的に除去する。このように一酸化炭素が酸化する反応は発熱反応であり、一酸化炭素除去器７と熱交換器１０との間で熱交換が行われることによって一酸化炭素除去器７が冷却される。
【００１５】
燃料電池である発電セル４は、燃料極４ａと、酸素極４ｂと、燃料極４ａと酸素極４ｂとの間に挟まされた電解質膜４ｃとを有する。一酸化炭素除去器７を経由した改質ガスは反応装置２から排出されて発電セル４の燃料極４ａに供給され、更に外部の空気が酸素極４ｂに送られる。そして、燃料極４ａに供給された改質ガス中の水素が、電解質膜４ｃを介して、酸素極４ｂに供給された空気中の酸素と電気化学反応することによって、燃料極４ａと酸素極４ｂとの間で電力が生じる。燃料極４ａと酸素極４ｂによって出力された電力は電子機器本体に供給される。
【００１６】
電解質膜４ｃが水素イオン透過性の電解質膜（例えば、固体高分子電解質膜）の場合には、燃料極４ａでは次式（３）のような反応が起き、燃料極４ａで生成された水素イオンが電解質膜４ｃを透過し、酸素極４ｂでは次式（４）のような反応が起こる。
Ｈ2→２Ｈ+＋２ｅ-  …（３）
２Ｈ+＋１／２Ｏ2＋２ｅ-→Ｈ2Ｏ  …（４）
【００１７】
燃料極４ａで電気化学反応せずに残った水素ガス等が空気と混合されて、水素ガスと空気等の混合気が改質用燃焼器８に供給されるとともに、気化用燃焼器９にも供給される。燃焼器８，９は、水素ガスを触媒反応により燃焼させる。これにより燃焼熱が発する。そして、排ガスが改質用燃焼器８及び気化用燃焼器９から外部に排出される。
【００１８】
熱交換器１０には水が送られ、一酸化炭素除去器７等によって加熱された水が熱交換器１０から排出される。熱交換器１０から排出された水が一旦冷却されて、再び熱交換器１０に送られることによって、水が循環するものでも良いし、燃料カートリッジ３の燃料と混合して気化器５に供給してもよい。また発電セル４で電気化学反応の際に生成された水の一部を熱交換器１０の水に利用してもよい。
【００１９】
次に、反応装置２の具体的構造について説明する。
図２は反応装置２の斜視図である。図２に示すように、反応装置２は、上蓋材２１と、下蓋材２２と、上蓋材２１と下蓋材２２との間に挟持された積層体２３と、を有する。
【００２０】
図３は、上蓋材２１及び下蓋材２２を積層体２３から離した状態における反応装置２の分解斜視図であり、図４は、積層体２３を一部分解した状態における反応装置２の分解斜視図である。図３及び図４に示すように、上蓋材２１は下側が凹んだ状態に設けられ、下蓋材２２は上側が凹んだ状態に設けられている。上蓋材２１及び下蓋材２２はステンレス鋼（例えば、ＳＵＳ３０４、ＳＵＳ３１６Ｌ）といった金属材料を有する。
【００２１】
図５は、積層体２３を斜め上側から見て示した分解斜視図であり、図６は、積層体２３を斜め下側から見て示した分解斜視図であり、図７は、積層体２３を斜め上側から見て示した分解斜視図である。積層体２３は、図７に示すように部材３１〜４３を積層したものであり、積層体２３の上面にキャップ４４〜４７が接合され、積層体２３の下面にキャップ４８〜４９が接合されている。部材３１〜４３及びキャップ４４〜４９は、ステンレス鋼（例えば、ＳＵＳ３０４、ＳＵＳ３１６Ｌ）といった金属材料を有する。キャップ４８、４９はともにベース部と凸部があり、キャップ４８、４９の凸部には、改質用触媒、選択酸化用触媒が担持されている
【００２２】
積層された状態の積層体２３は、平面視して矩形枠状の枠体２４と、枠体２４の内側に配置され、枠体２４に連なった状態に設けられ、上又は下から見て中央部で括れた鼓状の反応装置本体部２５と、枠体２４から外側に突出し、枠体２４に連なった状態に設けられた導入排出部２６と、を有する。反応装置本体部２５は、改質反応といった化学反応を高温で行う高温反応部２５ｃと、選択酸化反応といった化学反応を低温で行う低温反応部２５ｂと、高温反応部２５ｃと低温反応部２５ｂとを連結し、高温反応部２５ｃ及び低温反応部２５ｂに対して括れた状態の括れ部２５ｅと、を有する。
【００２３】
部材３１〜４３は、金属プレートを形状加工することによって図７に示すような形状を成している。部材３１〜４３の形状に応じて複数の孔・スリット・切欠き・隙間等が部材３１〜４３に形成されており、部材３１〜４３が積層されてこれらが接合され、更にこれらにキャップ４４〜４９が接合されることによって、室、流路及び孔等の内部空間が積層体２３に形成される。積層体２３に形成された内部空間が、図１に示した反応装置２の経路となる。
【００２４】
図８は、部材３１〜４３のうち最も上層の部材３１を示した平面図である。図８に示すように、部材３１は、断熱枠３１ａと、断熱枠３１ａの内側に配設され、断熱枠３１ａの右後部に連なった状態に設けられたプレート３１ｂと、プレート３１ｂの左側前後中央部に連なった状態に設けられた連結プレート３１ｅと、連結プレート３１ｅの左側に連なった状態に設けられた仕切フレーム３１ｃと、断熱枠３１ａの外側に配設され、断熱枠３１ａの右後部及びプレート３１ｂに連なった状態に設けられた延出部３１ｄと、を有する。
【００２５】
断熱枠３１ａは右後部を除いて、プレート３１ｂ、連結プレート３１ｅ及び仕切フレーム３１ｃから離れており、これらと断熱枠３１ａとの間には空隙３１ｙが形成されている。断熱枠３１ａは右後部において延出部３１ｄと連なって形成されている。なお、図８では製造工程中の変形を抑え、他の部材と良好に接合できるように、延出部３１ｄと対角に位置する仕切フレーム３１ｃは、断熱枠３１ａと、断熱枠３１ａの左前部において連結部３１ｚによって連なっているが、連結部３１ｚは図３に示すように、部材３１〜４３を積層して接合されている状態では除去されている。
【００２６】
延出部３１ｄには、空気導入孔３１ｆ、改質用オフガス導入孔３１ｇ、冷却水導入孔３１ｈ、冷却水排出孔３１ｉ、改質ガス排出孔３１ｊ、燃焼排ガス排出孔３１ｋ、気化用オフガス導入孔３１ｌ及び燃料導入孔３１ｍが形成されている。
【００２７】
プレート３１ｂの左後部には、孔３１ｐが形成され、プレート３１ｂの右前部には、孔３１ｑ及び孔３１ｒが形成されている。仕切フレーム３１ｃの右前部には、孔３１ｎが形成されている。仕切フレーム３１ｃ内には、仕切フレーム３１ｃによって囲繞されているＣ字状の孔が厚さ方向に形成されている室３２ｐが設けられている。
【００２８】
図９は、上から２層目の部材３２を示した平面図である。部材３２は、断熱枠３２ａと、断熱枠３２ａの内側に配設され、断熱枠３２ａの右後部に連なった状態に設けられた仕切フレーム３２ｂと、仕切フレーム３２ｂの左側に連なった状態に設けられた連結フレーム３２ｅと、連結フレーム３２ｅの左側に連なった状態に設けられた仕切フレーム３２ｃと、断熱枠３２ａの外側に配設され、断熱枠３２ａの右後部に連なった状態に設けられた延出部３２ｄと、を有する。
【００２９】
断熱枠３２ａは右後部を除いて、仕切フレーム３２ｂ、連結フレーム３２ｅ及び仕切フレーム３２ｃから離れており、これらと断熱枠３２ａとの間には空隙３２ｙが形成されている。断熱枠３２ａは右後部において延出部３２ｄと連なって形成されている。なお、図９では製造工程中の変形を抑え、他の部材と良好に接合できるように、延出部３２ｄと対角に位置する仕切フレーム３２ｃは、断熱枠３２ａと、断熱枠３２ａの左前部において連結部３２ｚによって連なっているが、連結部３２ｚは、図３に示すように、部材３１〜４３を積層して接合されている状態では除去されている。
【００３０】
スリット３２ｇも延出部３２ｄから仕切フレーム３２ｂ及び連結フレーム３２ｅを経由して仕切フレーム３２ｃにかけて形成されている。スリット３２ｋが延出部３２ｄから仕切フレーム３２ｂ及び連結フレーム３２ｅを経由して仕切フレーム３２ｃにかけて形成されている。仕切フレーム３２ｃ内には、仕切フレーム３２ｃによって囲繞されているＣ字状の孔が厚さ方向に形成されている室３２ｐが設けられている。そして、室３２ｐの一端部がスリット３２ｇの端部に通じ、室３２ｐの他端部がスリット３２ｋの端部に通じている。また、仕切フレーム３２ｂの右後部には孔３２ｑが形成され、この孔３２ｑがスリット３２ｋに通じている。
【００３１】
孔３２ｑの近傍において、孔３２ｒが仕切フレーム３２ｂに形成されている。スリット３２ｌが延出部３２ｄから仕切フレーム３２ｂにかけて形成され、スリット３２ｌの端部が孔３２ｒに通じている。
【００３２】
スリット３２ｈが延出部３２ｄから仕切フレーム３２ｂにかけて形成されている。スリット３２ｉが延出部３２ｄから仕切フレーム３２ｂにかけて形成されている。仕切フレーム３２ｂ内には仕切フレーム３２ｂによって囲繞されている葛折り状の孔が厚さ方向に形成されている室３２ｎが設けられている。そして、室３２ｎの一端部がスリット３２ｈの端部に通じ、室３２ｎの他端部がスリット３２ｉの端部に通じている。
【００３３】
スリット３２ｆが延出部３２ｄから仕切フレーム３２ｂ及び連結フレーム３２ｅを経由して仕切フレーム３２ｃにかけて形成されている。スリット３２ｊが延出部３２ｄから仕切フレーム３２ｂにかけて形成されている。スリット３２ｖが仕切フレーム３２ｂから連結フレーム３２ｅを経由して仕切フレーム３２ｃにかけて形成されている。仕切フレーム３２ｂの左前部には、孔３２ｔ及び孔３２ｓが形成されている。仕切フレーム３２ｂの前部には、スリット３２ｕが形成されている。延出部３２ｄには、燃料導入孔３２ｍが形成されている。
【００３４】
部材３２は部材３１に重ねられて接合されている。具体的には、断熱枠３２ａが断熱枠３１ａに合致するように重ねられ、仕切フレーム３２ｂがプレート３１ｂに合致するように重ねられ、仕切フレーム３２ｃが仕切フレーム３１ｃに合致するように重ねられ、連結フレーム３２ｅが連結プレート３１ｅに合致するように重ねられ、延出部３２ｄが延出部３１ｄに合致するように重ねられている。
【００３５】
スリット３２ｆが延出部３１ｄ、プレート３１ｂ、連結プレート３１ｅ及び仕切フレーム３１ｃによって覆われ、スリット３２ｆの一端部に空気導入孔３１ｆが重なり、スリット３２ｆの他端部に孔３１ｎが重なっている。スリット３２ｇが延出部３１ｄ、プレート３１ｂ、連結プレート３１ｅ及び仕切フレーム３１ｃによって覆われ、スリット３２ｇの一端部に改質用オフガス導入孔３１ｇが重なっている。スリット３２ｈが延出部３１ｄ及びプレート３１ｂによって覆われ、スリット３２ｈの一端部が冷却水導入孔３１ｈに重なっている。スリット３２ｉが延出部３１ｄ及びプレート３１ｂによって覆われ、スリット３２ｉの一端部が冷却水排出孔３１ｉに重なっている。スリット３２ｊが延出部３１ｄ及びプレート３１ｂによって覆われ、スリット３２ｊの一端部が改質ガス排出孔３１ｊに重なり、スリット３２ｊの他端部が孔３１ｐに重なっている。スリット３２ｋが延出部３１ｄ、プレート３１ｂ、連結プレート３１ｅ及び仕切フレーム３１ｃによって覆われ、スリット３２ｋの一端部が燃焼排ガス排出孔３１ｋに重なっている。スリット３２ｌが延出部３１ｄ及びプレート３１ｂによって覆われ、スリット３２ｌの一端部が気化用オフガス導入孔３１ｌに重なっている。燃料導入孔３１ｍが燃料導入孔３２ｍに重なっている。室３２ｎはプレート３１ｂによって覆われている。室３２ｐは室３１ｓに重なっている。孔３１ｑが孔３２ｑに重なり、孔３２ｒが孔３１ｒに重なっている。孔３２ｓ、孔３２ｔ及びスリット３２ｕがプレート３１ｂによって覆われている。スリット３２ｖがプレート３１ｂ、連結プレート３１ｅ及び仕切フレーム３１ｃによって覆われている。
【００３６】
図１０は、上から３層目の部材３３を示した平面図である。部材３３は、断熱枠３３ａと、断熱枠３３ａの内側に配設され、断熱枠３３ａの右後部に連なった状態に設けられたプレート３３ｂと、プレート３３ｂの左側における前後方向の中央部に連なった状態に設けられた連結プレート３３ｅと、連結プレート３３ｅの左側に連なった状態に設けられたプレート３３ｃと、断熱枠３３ａの外側に配設され、断熱枠３３ａの右後部に連なった状態に設けられた延出部３３ｄと、を有する。断熱枠３３ａは右後部を除いて、プレート３３ｂ、連結プレート３３ｅ及びプレート３３ｃとの間に空隙３３ｙをおいている。図１０では製造工程中の変形を抑え、他の部材と良好に接合できるように、プレート３３ｃは、断熱枠３３ａと、断熱枠３３ａの左前部において連結部３３ｚによって連なっているが、連結部３３ｚは、図３に示すように、部材３１〜４３を積層して接合されている状態では除去されている。
【００３７】
延出部３３ｄには、燃料導入孔３３ｍが形成されている。プレート３３ｂの右前部に孔３３ｎが形成され、プレート３３ｂの左前部に孔３３ｇ〜３３ｌが形成され、プレート３３ｂの左後部に孔３３ｐが形成され、プレート３３ｂの右後部に孔３３ｑ，３３ｒ及び孔３３ｆが形成されている。プレート３３ｃの右前部に孔３３ｔが形成され、プレート３３ｃの左後部に孔３３ｓが形成されている。
【００３８】
部材３３は部材３２に合致するように重ねられて接合されている。具体的には、断熱枠３３ａが断熱枠３２ａに合致するように重ねられ、プレート３３ｂが仕切フレーム３２ｂに合致するように重ねられ、プレート３３ｃが仕切フレーム３２ｃに合致するように重ねられ、連結プレート３３ｅが連結フレーム３２ｅに合致するように重ねられ、延出部３３ｄが延出部３２ｄに合致するように重ねられている。
【００３９】
スリット３２ｆが延出部３３ｄ、プレート３３ｂ、連結プレート３３ｅ及びプレート３３ｃによって下側を覆われ、スリット３２ｆの端部に孔３３ｔが重なり、スリット３２ｆの中途部に孔３３ｇが重なっている。スリット３２ｇが延出部３３ｄ、プレート３３ｂ、連結プレート３３ｅ及びプレート３３ｃによって下側を覆われている。スリット３２ｈが延出部３３ｄ及びプレート３１ｂによって下側を覆われている。スリット３２ｉが延出部３３ｄ及びプレート３３ｂによって下側を覆われている。スリット３２ｊが延出部３１ｄ及びプレート３１ｂによって下側を覆われ、スリット３２ｊの端部が孔３３ｐに重なっている。スリット３２ｋが延出部３３ｄ、プレート３３ｂ、連結プレート３３ｅ及びプレート３３ｃによって下側を覆われている。スリット３２ｌが延出部３１ｄ及びプレート３１ｂによって下側を覆われている。スリット３２ｖがプレート３３ｂ、連結プレート３３ｅ及びプレート３３ｃによって下側を覆われ、スリット３２ｖの一端部に孔３３ｓが重なり、スリット３２ｖの他端部に孔３３ｆが重なっている。スリット３２ｕがプレート３３ｂによって覆われ、スリット３２ｕの一端部に孔３３ｎが重なり、スリット３２ｕの他端部に孔３３ｌが重なっている。室３２ｎはプレート３３ｂによって下側を覆われている。室３２ｐはプレート３３ｃによって下側を覆われている。燃料導入孔３３ｍが燃料導入孔３２ｍに重なっている。孔３３ｑが孔３２ｑの一部に重なり、孔３３ｒが孔３２ｒの一部に重なっている。孔３３ｈ及び孔３３ｉが孔３２ｔに重なり、孔３３ｊ及び孔３３ｋが孔３２ｓに重なっている。
【００４０】
反応装置本体部２５のベースとなる部分はプレート３１ｂ、仕切フレーム３２ｂ、プレート３３ｂの積層部、仕切フレーム３１ｃ、仕切フレーム３２ｃ、プレート３３ｃの積層部及び連結プレート３１ｅ、連結フレーム３２ｅ、連結プレート３３ｅの積層部の組み合わせである。このベース部は連結プレート３１ｅ、連結フレーム３２ｅ、連結プレート３３ｅの積層部の幅（前後方向）がプレート３１ｂ、仕切フレーム３２ｂ、プレート３３ｂの積層部の幅（前後方向）及び仕切フレーム３１ｃ、仕切フレーム３２ｃ、プレート３３ｃを積層部の幅（前後方向）よりも狭くなるように括れた形状を成している。連結プレート３１ｅ、連結フレーム３２ｅ、連結プレート３３ｅの積層部が反応装置本体部２５の括れ部２５ｅである。
【００４１】
図１１は、上から４層目の部材３４を示した平面図である。部材３４は、断熱枠３４ａと、断熱枠３４ａの内側に配設され、断熱枠３４ａの右後部に連なった状態に設けられた枠部３４ｂと、断熱枠３４ａの内側において枠部３４ｂの左方に位置した枠部３４ｃと、断熱枠３４ａの右後部に連なった状態に設けられた二股延出部３４ｄと、を備える。なお、図１１では製造工程中の変形を抑え、他の部材と良好に接合できるように、枠部３４ｃは連結部３４ｚに連結されることによって断熱枠３４ａに支持され、枠部３４ｃと枠部３４ｂは連結部３４ｘによって互いに連結されているが、これら連結部３４ｘ，３４ｚは部材３１〜４３を積層して接合されている状態では除去されている。断熱枠３４ａは右後部を除いて、枠部３４ｂ，３４ｃとの間に空隙３４ｙをおく。
【００４２】
二股延出部３４ｄの間に空隙となる領域３４ｎが形成され、その領域３４ｎは断熱枠３４ａの内側における断熱枠３４ａと枠部３４ｂの連結部まで入り込むように形成されている。二股延出部３４ｄの一方にＬ字状のスリット３４ｍが形成され、スリット３４ｍが領域３４ｎに通じている。枠部３４ｂの右後部の外側において窪み３４ｕが形成され、その窪み３４ｕが領域３４ｎに連なっている。枠部３４ｂの右後部には、孔３４ｑ，３４ｒが形成されている。枠部３４ｂには厚さ方向に貫通した孔となっている室３４ｔが形成され、室３４ｔが枠部３４ｂによって囲繞されている。枠部３４ｂの左前部には、孔３４ｇ〜３４ｌが形成されている。更に枠部３４ｂの前部には、スリット３４ｆが形成されている。枠部３４ｃには厚さ方向に貫通した孔となっている室３４ｐが形成され、室３４ｐが枠部３４ｃによって囲繞されている。枠部３４ｃの左後部には、孔３４ｓが形成されている。
【００４３】
部材３４は部材３３に重ねられて接合されている。具体的には、断熱枠３４ａが断熱枠３３ａに合致するように重ねられ、枠部３４ｂがプレート３３ｂに合致するように重ねられ、枠部３４ｃがプレート３３ｃに合致するように重ねられ、二股延出部３４ｄが延出部３３ｄに合致するように重ねられている。
【００４４】
スリット３４ｍが延出部３３ｄによって覆われ、スリット３４ｍの端部に燃料導入孔３３ｍが重なっている。領域３４ｎがプレート３３ｂ及び延出部３３ｄによって覆われ、孔３４ｕに孔３３ｆが重なっている。室３４ｔがプレート３３ｂによって覆われ、室３４ｔの左後ろの角部に孔３３ｐが重なっている。スリット３４ｆがプレート３３ｂによって覆われ、スリット３４ｆの端部に孔３３ｎが重なっている。室３４ｐがプレート３３ｃによって覆われ、室３４ｐの右前角部に孔３３ｔが重なっている。また、孔３４ｇが孔３３ｇに、孔３４ｈが孔３３ｈに、孔３４ｉが孔３３ｉに、孔３４ｊが孔３３ｊに、孔３４ｋが孔３３ｋに、孔３４ｌが孔３３ｌに、孔３４ｑが孔３３ｑに、孔３４ｒが孔３３ｒに、孔３４ｓが孔３３ｓに重なっている。
【００４５】
図１２は、上から５層目の部材３５を示した平面図である。部材３５は、断熱枠３５ａと、断熱枠３５ａの内側に配設され、断熱枠３５ａの右後部に連なった状態に設けられた多孔板３５ｂと、断熱枠３５ａの内側において多孔板３５ｂの左方に位置した多孔板３５ｃと、断熱枠３５ａの右後部に連なった状態に設けられた二股延出部３５ｄと、を備える。なお、図１２では製造工程中の変形を抑え、他の部材と良好に接合できるように、多孔板３５ｃは連結部３５ｚによって断熱枠３５ａと連結されるとともに、連結部３５ｚと対角の位置を連結部３５ｘによって多孔板３５ｂと連結されているが、これら連結部３５ｘ，３５ｚは、図３に示すように、部材３１〜４３を積層して接合されている状態では除去されている。断熱枠３５ａは右後部を除いて、多孔板３５ｂ，３５ｃとの間に空隙３５ｙをおく。
【００４６】
二股延出部３５ｄの間に空隙となる領域３５ｎが形成され、その領域３５ｎは断熱枠３５ａの内側における断熱枠３５ａと多孔板３５ｂの連結部まで入り込むように形成されている。多孔板３５ｂの右後部には、孔３５ｑ，３５ｒが形成されている。多孔板３５ｂの左前部には、孔３５ｇ〜３５ｍが形成されている。多孔板３５ｂには複数の孔３５ｔが形成されている。複数の孔３５ｔは点在しており、具体的には所定の間隔をおいてマトリクス状に配列されている。孔３５ｔは、ハニカム状に配列されていても良いし、複数の同心円に沿って配列されていても良い。多孔板３５ｃの左後部には、孔３５ｓが形成されている。また、多孔板３５ｃには複数の孔３５ｐが形成されており、これらの孔３５ｐが所定の間隔をおいてマトリクス状に配列されている。なお、これら孔３５ｐは、ハニカム状に配列されていても良いし、複数の同心円に沿って配列されていても良い。
【００４７】
部材３５は部材３４に合致するように重ねられて接合されている。具体的には、断熱枠３５ａが断熱枠３４ａに合致するように重ねられ、二股延出部３５ｄが二股延出部３４ｄに合致するように重ねられている。多孔板３５ｂが枠部３４ｂに合致するように重ねられ、室３４ｔ、スリット３４ｆ及び窪み３４ｕが多孔板３５ｂによって覆われている。多孔板３５ｂに形成された複数の孔３５ｔは枠部３４ｂの内側の室３４ｔ内に収まるように室３４ｔと重なっている。多孔板３５ｃが枠部３４ｃに重ねられ、室３４ｐが多孔板３５ｃによって覆われている。多孔板３５ｃに形成された複数の孔３５ｐは枠部３４ｃの内側の室３４ｐ内に収まるように室３４ｐと重なっている。
【００４８】
スリット３４ｆの端部に孔３５ｍが重なっている。また、孔３４ｑが孔３５ｑに、孔３４ｒが孔３５ｒに、孔３４ｓが孔３５ｓに、孔３４ｇが孔３５ｇに、孔３４ｈが孔３５ｈに、孔３４ｉが孔３５ｉに、孔３４ｊが孔３５ｊに、孔３４ｋが孔３５ｋに、孔３４ｌが孔３５ｌに重なっている。
【００４９】
図１３は、上から６層目の部材３６を示した平面図である。部材３６は、断熱枠３６ａと、枠部３６ｂと、枠部３６ｃと、二股延出部３６ｄと、を備える。なお、図１３では製造工程中の変形を抑え、他の部材と良好に接合できるように、枠部３６ｃは連結部３６ｚによって断熱枠３６ａと連結されるとともに、連結部３６ｚと対角の位置を連結部３６ｘによって枠部３６ｂと連結されているが、これら連結部３６ｘ，３６ｚは、図３に示すように、部材３１〜４３を積層して接合されている状態では除去されている。断熱枠３６ａは右後部を除いて、枠部３６ｂ，３６ｃとの間に空隙３６ｙをおく。
【００５０】
二股延出部３６ｄの間に空隙となる領域３６ｎが形成され、その領域３６ｎは断熱枠３６ａの内側における断熱枠３６ａと枠部３６ｂの連結部まで入り込むように形成されている。枠部３６ｂの右後部には、孔３６ｑ，３６ｒが形成されている。枠部３６ｂには厚さ方向に貫通した孔となっている室３６ｔが形成され、室３６ｔが枠部３６ｂによって囲繞されている。枠部３６ｂの左前部には、孔３６ｈ，３６ｊ，３６ｌが形成されている。枠部３６ｂの前部には、スリット３６ｍが形成されている。枠部３６ｃには厚さ方向に貫通した孔となっている室３６ｐが形成され、室３６ｐが枠部３６ｃによって囲繞されている。枠部３６ｃの左後部には、孔３６ｓが形成されている。
【００５１】
部材３６は部材３５に重ねられて接合されている。断熱枠３６ａが断熱枠３５ａに合致するように重ねられ、二股延出部３６ｄが合致するように二股延出部３５ｄに重ねられている。枠部３６ｂが多孔板３５ｂの周縁と合致するように重ねられ、室３６ｔ及びスリット３６ｍが多孔板３５ｂによって覆われている。多孔板３５ｂに形成された複数の孔３５ｔは枠部３６ｂの内側の室３６ｔ内に収まるように室３６ｔと重なっている。枠部３６ｃが多孔板３５ｃの周縁と合致するように重ねられ、室３６ｐが多孔板３５ｃによって覆われている。多孔板３５ｃに形成された複数の孔３５ｐは枠部３６ｃの内側の室３６ｐ内に収まるように室３６ｐと重なっている。
【００５２】
また、スリット３６ｍの端部に孔３５ｍが重なっている。更に、孔３５ｑが孔３６ｑに、孔３５ｒが孔３６ｒに、孔３５ｓが孔３６ｓに、孔３５ｇが孔３６ｈの一部に、孔３５ｈが孔３６ｈの一部に、孔３５ｉが孔３６ｊの一部に、孔３５ｊが孔３６ｊの一部に、孔３５ｋが孔３６ｌの一部に、孔３５ｌが孔３６ｌの一部に重なっている。
【００５３】
図１４は、上から７層目の部材３７を示した平面図である。部材３７は、断熱枠３７ａと、多孔板３７ｂと、多孔板３７ｃと、二股延出部３５ｄと、を備える。部材３７は、図１２に示された部材３５とほぼ同じ形状を成しているが、以下の点で異なる。部材３７では、多孔板３７ｂの右前部に孔３７ｍが形成されているのに対し、部材３５では、多孔板３５ｂの右前部に孔が形成されていない。また、部材３５では、多孔板３５ｂの左前部に孔３５ｇ〜３５ｍが形成されているが、部材３７では、多孔板３７ｂの左前部に孔が形成されていない。また、部材３７の多孔板３７ｂに配列された複数の孔３７ｔは、平面視して、部材３５の多孔板３５ｂの複数の孔３５ｔに重ならない位置にある。部材３７の多孔板３７ｃに配列された複数の孔３７ｐは、平面視して、部材３５の多孔板３５ｃの複数の孔３５ｐに重ならない位置にある。
【００５４】
部材３７は部材３６に合致するように重ねられて接合されている。具体的には、断熱枠３７ａが断熱枠３６ａに合致するように重ねられ、二股延出部３７ｄが二股延出部３６ｄに合致するように重ねられている。多孔板３７ｂがその周縁を枠部３６ｂに合致するように重ねられ、室３６ｔ及びスリット３６ｍが多孔板３７ｂによって覆われている。多孔板３７ｂに形成された複数の孔３７ｔは枠部３６ｂの内側の室３６ｔ内に収まるように室３６ｔと重なっている。多孔板３７ｃが枠部３６ｃに重ねられ、室３６ｐが多孔板３７ｃによって覆われている。多孔板３７ｃに形成された複数の孔３７ｐは枠部３６ｃの内側の室３６ｐ内に収まるように室３６ｐと重なっている。また、スリット３６ｍの一端部に孔３７ｍが重なっている。また、孔３６ｑが孔３７ｑに、孔３６ｒが孔３７ｒに、孔３６ｓが孔３７ｓに合致するように重なっている。図１４では製造工程中の変形を抑え、他の部材と良好に接合できるように、多孔板３７ｃは連結部３７ｚによって断熱枠３７ａと連結されるとともに、連結部３７ｚと対角の位置を連結部３７ｘによって多孔板３７ｂと連結されているが、これら連結部３７ｘ，３７ｚは、図３に示すように、部材３１〜４３を積層して接合されている状態では除去されている。
【００５５】
図１５は、上から８層目の部材３８を示した平面図である。部材３８は、断熱枠３８ａと、枠部３８ｂと、枠部３８ｃと、二股延出部３８ｄと、を備える。部材３８は、図１３に示された部材３６とほぼ同じ形状を成しているが、以下の点で異なる。部材３６では、枠部３６ｂの前部に孔３６ｈ，３６ｊ，３６ｌ及びスリット３６ｍが形成されているが、部材３８では、孔３６ｈ，３６ｊ，３６ｌ及びスリット３６ｍに対応するものが枠部３８ｂの前部に形成されていない。また、部材３８では、枠部３８ｂの右前部に孔３８ｍが形成されているが、部材３６では、そのような孔が枠部３６ｂの右前部に形成されていない。
【００５６】
部材３８は部材３７に重ねられて接合されている。断熱枠３８ａが断熱枠３７ａに合致するように重ねられ、二股延出部３８ｄが二股延出部３７ｄに合致するように重ねられている。枠部３８ｂが多孔板３７ｂに合致するように重ねられ、室３８ｔが多孔板３７ｂによって覆われている。多孔板３７ｂに形成された複数の孔３７ｔは枠部３８ｂの内側の室３８ｔ内に収まるように室３８ｔと重なり、多孔板３７ｂに形成された孔３７ｍは枠部３８ｂに形成された孔３８ｍに合致するように重なっている。枠部３８ｃが多孔板３７ｃの周縁に重ねられ、室３８ｐが多孔板３７ｃによって覆われている。多孔板３７ｃに形成された複数の孔３７ｐは枠部３８ｃの内側の室３８ｐ内に収まるように室３８ｐと重なり、多孔板３７ｃに形成された孔３７ｓは枠部３８ｂに形成された孔３８ｓに合致するように重なっている。図１５では製造工程中の変形を抑え、他の部材と良好に接合できるように、枠部３８ｃは連結部３８ｚによって断熱枠３８ａと連結されるとともに、連結部３８ｚと対角の位置を連結部３８ｘによって枠部３８ｂと連結されているが、これら連結部３８ｘ，３８ｚは、図３に示すように、部材３１〜４３を積層して接合されている状態では除去されている。
【００５７】
図１６は、上から９層目の部材３９を示した平面図である。部材３９は、断熱枠３９ａと、多孔板３９ｂと、多孔板３９ｃと、二股延出部３９ｄと、を備える。部材３９は、図１４に示された部材３７とほぼ同じ形状を成しているが、以下の点で異なる。つまり、部材３９の多孔板３９ｂに配列された複数の孔３９ｔは、平面視して、部材３７の多孔板３７ｂの複数の孔３７ｔに重ならない位置にある。部材３９の多孔板３９ｃに配列された複数の孔３９ｐは、平面視して、部材３７の多孔板３７ｃの複数の孔３７ｐに重ならない位置にある。
【００５８】
部材３９は部材３８に重ねられて接合されている。具体的には、断熱枠３９ａが断熱枠３８ａに合致するように重ねられ、二股延出部３９ｄが二股延出部３８ｄに合致するように重ねられている。多孔板３９ｂがその周縁を枠部３８ｂに重ねられ、室３８ｔが多孔板３９ｂによって下側を覆われている。多孔板３９ｂに形成された複数の孔３９ｔは枠部３８ｂの内側の室３８ｔ内に収まるように室３８ｔと重なっている。多孔板３９ｃがその周縁を枠部３８ｃに重ねられ、室３８ｐが多孔板３９ｃによって下側を覆われている。多孔板３９ｃに形成された複数の孔３９ｐは枠部３８ｃの内側の室３８ｐ内に収まるように室３８ｐと重なっている。また、孔３８ｍが孔３９ｍに、孔３８ｑが孔３９ｑに、孔３８ｒが孔３９ｒに、孔３８ｓが孔３９ｓに合致するように重なっている。図１６では製造工程中の変形を抑え、他の部材と良好に接合できるように、多孔板３９ｃは連結部３９ｚによって断熱枠３９ａと連結されるとともに、連結部３９ｚと対角の位置を連結部３９ｘによって多孔板３９ｂと連結されているが、これら連結部３９ｘ，３９ｚは、図３に示すように、部材３１〜４３を積層して接合されている状態では除去されている。
【００５９】
図１７は、上から１０層目の部材４０を示した平面図である。この部材４０は、図１５に示された部材３８と同じ形状を成している。この部材４０は部材３９に重ねられて接合されている。断熱枠４０ａが断熱枠３９ａに合致するように重ねられ、二股延出部４０ｄが二股延出部３９ｄに合致するように重ねられている。枠部４０ｂが多孔板３９ｂに重ねられ、室４０ｔが多孔板３９ｂによって覆われている。多孔板３９ｂに形成された複数の孔３９ｔは枠部４０ｂの内側の室４０ｔ内に収まるように室４０ｔと重なり、多孔板３９ｂに形成された孔３９ｍは枠部４０ｂに形成された孔４０ｍに合致するように重なっている。枠部４０ｃが多孔板３９ｃに重ねられ、室４０ｐが多孔板３９ｃによって覆われている。多孔板３９ｃに形成された複数の孔３９ｐは枠部４０ｃの内側の室４０ｐ内に収まるように室４０ｐと重なり、多孔板３９ｃに形成された孔３９ｓは枠部４０ｂに形成された孔４０ｓに合致するように重なっている。図１７では製造工程中の変形を抑え、他の部材と良好に接合できるように、枠部４０ｃは連結部４０ｚによって断熱枠４０ａと連結されるとともに、連結部４０ｚと対角の位置を連結部４０ｘによって枠部４０ｂと連結されているが、これら連結部４０ｘ，４０ｚは、図３に示すように、部材３１〜４３を積層して接合されている状態では除去されている。
【００６０】
図１８は、上から１１層目の部材４１を示した平面図である。部材４１は、断熱枠４１ａと、多孔板４１ｂと、多孔板４１ｃと、延出部４１ｄと、を備える。この部材４１は、図１４に示された部材３７とほぼ同じ形状を成しているが、以下の点で異なる。つまり、部材３７では、二股延出部３７ｄの間に領域３７ｎが形成されて、その領域３７ｎが断熱枠３７ａと多孔板３７ｂの連結部まで入り込むように形成されているが、部材４１では、領域３７ｎに対応するものが延出部４１ｄ及び多孔板４１ｂに形成されていない。
【００６１】
部材４１は部材４０に重ねられて接合されている。具体的には、断熱枠４１ａが断熱枠４０ａに合致するように重ねられている。また、延出部４１ｄが二股延出部４０ｄ合致するように重ねられ、領域４０ｎが延出部４１ｄ及び多孔板４１ｂによって下側を覆われている。多孔板４１ｂがその周縁を枠部４０ｂに重ねられ、室４０ｔが多孔板４１ｂによって覆われている。多孔板４１ｂに形成された複数の孔４１ｔは枠部４０ｂの内側の室４０ｔ内に収まるように室４０ｔと重なっている。多孔板４１ｃがその周縁を枠部４０ｃに重ねられ、室４０ｐが多孔板４１ｃによって下側を覆われている。多孔板４１ｃに形成された複数の孔４１ｐは枠部４０ｃの内側の室４０ｐ内に収まるように室３８ｐと重なっている。また、孔４０ｍが孔４１ｍに、孔４０ｑが孔４１ｑに、孔４０ｒが孔４１ｒに、孔４０ｓが孔４１ｓに合致するように重なっている。図１８では製造工程中の変形を抑え、他の部材と良好に接合できるように、多孔板４１ｃは連結部４１ｚによって断熱枠４１ａと連結されるとともに、連結部４１ｚと対角の位置を連結部４１ｘによって多孔板４１ｂと連結されているが、これら連結部４１ｘ，４１ｚは、図３に示すように、部材３１〜４３を積層して接合されている状態では除去されている。
【００６２】
図１９は、上から１２層目の部材４２を示した平面図である。図１９に示すように、部材４２は、断熱枠４１ａと、断熱枠４１ａの内側に配設され、断熱枠４１ａの右後部に連なった状態に設けられた枠部４２ｂと、断熱枠４１ａの内側において枠部４２ｂの左方に配置された枠部４２ｃと、断熱枠４２ａの外側に配設され、断熱枠４２ａの右後部に連なった状態に設けられた延出部４２ｄと、を有する。枠部４２ｂと枠部４２ｃは連結部４２ｘによって連結され、枠部４２ｃと断熱枠４２ａは連結部４２ｚよって連結され、枠部４２ｂ及び枠部４２ｃと断熱枠４２ａとの間には空隙４２ｙがある。枠部４２ｂに室４２ｔが形成され、その室４２ｔが枠部４２ｂによって囲繞されている。更に、枠部４２ｂの右後部には、Ｃ字状の室４２ｑが形成されている。また、枠部４２ｃに室４２ｐが形成され、室４２ｐが枠部４２ｃによって囲繞されている。
【００６３】
この部材４２は部材４１に重ねられて接合されている。断熱枠４２ａが断熱枠４１ａに合致するように重ねられ、延出部４２ｄが延出部４１ｄに合致するように重ねられている。枠部４２ｂが多孔板４１ｂも周縁に重ねられ、室４２ｔが多孔板４１ｂによって覆われている。多孔板４１ｂに形成された複数の孔４１ｔは枠部４２ｂの内側の室４２ｔ内に収まるように室４２ｔと重なっている。更に、多孔板４１ｂに形成された孔４１ｍは室４２ｔの右前角部に重なっている。枠部４２ｃが多孔板４１ｃに重ねられ、室４２ｐが多孔板４１ｃによって覆われている。多孔板４１ｃに形成された複数の孔４１ｐは枠部４２ｃの内側の室４２ｐ内に収まるように室４２ｐと重なり、多孔板４１ｃに形成された孔４１ｓは枠部４２ｃの左後ろ角部の空隙に重なっている。また、多孔板４１ｂに形成された孔４１ｑが室４２ｑの一部に重なり、多孔板４１ｂに形成された孔４１ｒは室４２ｑの別の一部に重なっている。図１９では製造工程中の変形を抑え、他の部材と良好に接合できるように、枠部４２ｃは連結部４２ｚによって断熱枠４２ａと連結されるとともに、連結部４２ｚと対角の位置を連結部４２ｘによって枠部４２ｂと連結されているが、これら連結部４２ｘ，４２ｚは、図３に示すように、部材３１〜４３を積層して接合されている状態では除去されている。
【００６４】
図２０は、上から１３層目の部材４３を示した平面図である。部材４３は、断熱枠４３ａと、枠部４３ｂと枠部４３ｃと、延出部４３ｄを備える。この部材４３は、図１９に示された部材４２とほぼ同じ形状を成しているが、以下の点で異なる。つまり、部材４２では、枠部４３ｂの右後部に室４２ｑが形成されているのに対し、部材４３では、枠部４３ｂにそのような室が形成されていない。この部材４３は部材４２に重ねられて接合されている。具体的には、断熱枠４３ａが断熱枠４２ａに合致するように重ねられ、延出部４２ｄが延出部４１ｄに合致するように重ねられている。枠部４３ｂが枠部４２ｂに合致するように重ねられ、枠部４３ｃが枠部４２ｃに合致するように重ねられ、延出部４３ｄが延出部４２ｄに合致するように重ねられている。また、枠部４２ｂに形成された室４２ｑは枠部４３ｂに形成された室４３ｇの下側に重なっている。図２０では製造工程中の変形を抑え、他の部材と良好に接合できるように、枠部４３ｃは連結部４３ｚによって断熱枠４３ａと連結されるとともに、連結部４３ｚと対角の位置を連結部４３ｘによって枠部４３ｂと連結されているが、これら連結部４３ｘ，４３ｚは、図３に示すように、部材３１〜４３を積層して接合されている状態では除去されている。
【００６５】
部材３１〜４３は以上のような形状を成し、積層されている。部材３１〜４３の接合は拡散接合によるものである。部材３１〜部材４３の積層体２３のうち、断熱枠３１ａ〜４３ａの積層部が図３〜図６に示された枠体２４となる。また、延出部３１ｄ〜３３ｄ、二股延出部３４ｄ〜４０ｄ及び延出部４１ｄ〜４３ｄの積層部が、図３〜図６に示された導入排出部２６の一部となる。また、部材３１〜４３の積層体２３に対してキャップ４４〜４９を組み付けたものが、図３〜図６に示された反応装置本体部２５となる。上述したように３１ｅ〜４３ｅの積層部が反応装置本体部２５の幅狭の括れ部２５ｅとなり、３１ｃ〜４３ｃの積層部が反応装置本体部２５の幅広の高温反応部２５ｃとなり、３１ｂ〜４３ｂの積層部が反応装置本体部２５の幅広の低温反応部２５ｂとなる。
【００６６】
図５〜図６に示すように、部材３１〜４３を積層した状態では、室３１ｓ、孔３１ｎ、孔３１ｐ、孔３１ｑ及び孔３１ｒが部材３１〜４３の積層体２３の上面において開口している。キャップ４６は室３１ｓの開口を、キャップ４７は孔３１ｎの開口を、キャップ４４は孔３１ｐの開口を、キャップ４５は孔３１ｑ及び孔３１ｒの開口を閉塞している。キャップ４６は下面に改質用触媒が担持されている。また、部材３１〜４３の積層体２３の下面においては、室４３ｐ及び室４３ｔが開口しており、キャップ４８は室４３ｐの開口を閉塞し、キャップ４９は室４３ｔの開口を閉塞している。ここで、キャップ４８の一方の面には室４３ｐの平面視形状と同じ平面視形状を成した凸部４８ａが形成され、その凸部４８ａの高さは部材４３の厚みと同程度である。その凸部４８ａが室４３ｐに嵌め込む。凸部４８ａと室４３ｐの間にはクリアランスとしてわずかな隙間が形成されていることが好ましい。キャップ４９の一方の面には室４３ｔの平面視形状と同じ平面視形状を成した凸部４９ａが形成され、その凸部４９ａの高さは部材４３の厚みと同程度である。その凸部４９ａが室４３ｔに嵌め込む。凸部４９ａと室４３ｔの間にはクリアランスとしてわずかな隙間が形成されていることが好ましい。
【００６７】
上蓋材２１が枠体２４の全周に亘って枠体２４の上端に接合され、下蓋材２２が枠体２４の全周に亘って枠体２４の下端に接合され、上蓋材２１、枠体２４及び下蓋材２２の組み体が略直方体状の箱体を成し、上蓋材２１、枠体２４及び下蓋材２２によってその内側に密閉空間が形成される。上蓋材２１、枠体２４及び下蓋材２２を有する箱体が高温反応部２５ｃでの熱と低温反応部２５ｂでの熱を外部に輻射することを防止して断熱する断熱パッケージである。上蓋材２１、枠体２４及び下蓋材２２を有する箱体の密閉空間に反応装置本体部２５が収容された状態となっており、その密閉空間は真空状又は亜真空状とされている。上蓋材２１、枠体２４及び下蓋材２２を有する箱体の内面には、金等の熱輻射を反射する性質の熱輻射反射膜が成膜されている。なお、上蓋材２１、枠体２４及び下蓋材２２を有する箱体の密閉空間が真空状又は亜真空状であることが好ましいが、真空状態又は亜真空状態なくてもよい。その場合、上蓋材２１、枠体２４及び下蓋材２２を有する箱体の密閉空間内の気体は空気であってもよいが、フッ素を含むメタン若しくはエタンの多ハロゲン化誘導体（例えば、ジクロロジフルオロメタン、クロロジフルオロメタン）又は炭酸ガスであっても良い。
【００６８】
図２１〜２３は、図１に示された反応装置２の各部と、図８〜図２０に示された部材３１〜４３及びキャップ４４〜４９が積層されることで形成された経路との対応関係を示したものである。
【００６９】
図２１に示すように、領域３４ｎ〜４０ｎの部分が気化器５の内部空間に相当し、室４２ｐから室３４ｐまでの領域が改質器６の内部空間に相当し、室４２ｔから室３４ｔまでの領域が一酸化炭素除去器７の内部空間に相当する。図２２に示すように、室３２ｐが改質用燃焼器８の内部空間に相当し、孔３２ｒから孔３２ｑまでの領域が気化用燃焼器９の内部空間に相当する。図２３に示すように、スリット３２ｈ〜スリット３２ｉまでの領域が熱交換器１０の内部空間に相当する。
【００７０】
図４〜図７に示すように、改質用燃焼器８の本体部分は、仕切フレーム３１ｃ、仕切フレーム３２ｃ及びプレート３３ｃの積層部と、それに接合されたキャップ４６とからなり、仕切フレーム３１ｃにキャップ４６が接合されることで室３２ｐが塞がれて内部空間となる。室３２ｐの内壁面には、燃焼用触媒（例えば、白金）が担持されている。
【００７１】
改質器６が改質用燃焼器８に搭載されており、改質用燃焼器８で発した燃焼熱が改質器６に伝導するよう構成されている。ここで、改質器６の本体部分は、改質用燃焼器８に交互に積層された枠部３４ｃ，３６ｃ，３８ｃ，４０ｃ，４２ｃと多孔板３５ｃ，３７ｃ，３９ｃ，４１ｃと、多孔板４１ｃに積み重ねられて接合された枠部４３ｃ及びキャップ４８とを有する。枠部４３ｃにキャップ４８が接合されることで室４２ｐが塞がれる。多孔板３５ｃ，３７ｃ，３９ｃ，４１ｃの表面に改質用触媒（例えば、Ｃｕ／ＺｎＯ系触媒、Ｐｄ／ＺｎＯ系触媒）が担持され、枠部３４ｃ，３６ｃ，３８ｃ，４０ｃ，４２ｃの内側にも改質用触媒が担持されている。このように改質用燃焼器８に改質器６が搭載されたものが、つまり、３１ｃ〜４３ｃの積層部が、反応装置本体部２５の高温反応部２５ｃである。なおキャップ４８の凸部４８ａの表面に、改質用触媒が担持されていても良いし、キャップ４７の内面に改質用触媒が担持されていても良い。
【００７２】
熱交換器１０の本体部分は、プレート３１ｂ、仕切フレーム３２ｂ及びプレート３３ｂの積層部から構成されている。プレート３１ｂ、仕切フレーム３２ｂ及びプレート３３ｂが積層されることによって、スリット３２ｈ，３２ｉ及び室３２ｎの上下が塞がれて内部空間となる。
【００７３】
一酸化炭素除去器７が熱交換器１０に搭載されており、一酸化炭素除去器７で発した反応熱が熱交換器１０に伝導するように構成されている。ここで、一酸化炭素除去器７の本体部分は、熱交換器１０に交互に積層された枠部３４ｂ，３６ｂ，３８ｂ，４０ｂ，４２ｂと多孔板３５ｂ，３７ｂ，３９ｂ，４１ｂと、枠部４２ｂに積み重ねられて接合された枠部４３ｂ及びキャップ４９とを有する。枠部４３ｂにキャップ４９が接合されることで室４２ｔが塞がれる。多孔板３５ｂ，３７ｂ，３９ｂ，４１ｂの表面に一酸化炭素選択酸化用触媒（例えば、白金）が担持され、枠部３４ｂ，３６ｂ，３８ｂ，４０ｂ，４２ｂの内側にも選択酸化用触媒が担持されている。このように熱交換器１０に一酸化炭素除去器７が搭載されたものが、つまり、３１ｂ〜４３ｂの積層部が、反応装置本体部２５の低温反応部２５ｂである。キャップ４９の凸部４９ａの表面に一酸化炭素選択酸化用触媒が担持されていても良い。
【００７４】
延出部３１ｄ〜３３ｄ、二股延出部３４ｄ〜４０ｄ及び延出部４１ｄ〜４３ｄが積層され、領域３４ｎ〜４０ｎが１つにまとまって気化器５の内部空間５０（図４に図示）を形成している。図４に示すように、内部空間５０に吸液材５１が挿入されている。吸液材５１は液体を吸収するものであり、吸液材５１としては無機繊維又は有機繊維を結合材で固めたものであったり、無機粉末を焼結したものであったり、無機粉末を結合材で固めたものであったり、グラファイトとグラッシーカーボンの混合体であったりする。具体的には、フェルト材、セラミック多孔質材、繊維材、カーボン多孔質材といったものが吸液材５１として用いられる。また、内部空間５０は吸液材５１が収納された状態で開口しており、その開口に蓋５２が嵌め込まれ、その開口が蓋５２によって閉塞され吸液材５１を固定している。
【００７５】
気化用燃焼器９については、反応装置本体部２５の右後部に設けられている。ここで、熱交換器１０に枠部３４ｂ，３６ｂ，３８ｂ，４０ｂ，４２ｂと多孔板３５ｂ，３７ｂ，３９ｂ，４１ｂとが交互に積層され、更に枠部４２ｂに枠部４３ｂが積み重ねられて接合されることによって、孔３２ｒ、孔３３ｒ〜４１ｒ、室４２ｑ、孔４１ｑ〜３３ｑ及び孔３２ｑが連なって内部空間５４（図５に図示）となる。その内部空間５４はキャップ４５によって閉塞されている。この内部空間５４は、内部空間５４の左奥の部分（蓋５２の反対側）をその上からその左方を通ってその下にかけて囲んでいる。内部空間５４の内壁面には、燃焼用触媒（例えば、白金）が担持されている。
【００７６】
図２〜６に示すように、枠体２４の右面には、貫通孔２４ａが貫通している。この貫通孔２４ａは、断熱枠３１ａ〜４３ａが積層された後に穿孔されたものである。貫通孔２４ａには６本の端子付リード線６１〜６６が通され、リード線６１〜６６が枠体２４の内から外にかけて配索されている。リード線６１〜６６はコバール合金（Ｆｅ、Ｎｉ、Ｃｏの合金）を有するものである。なお、リード線６１〜６６はコバールを有するものに限らず、他の単体金属又は合金を有するものでも良い。
【００７７】
リード線６１〜６６が貫通孔２４ａに通された状態で、封止材６７が貫通孔２４ａに埋め込まれて貫通孔２４ａを閉塞している。封止材６７の熱膨張率はリード線６１〜６６の熱膨張率と枠体２４の熱膨張率との間にあり、具体的にはリード線６１〜６６の熱膨張率よりも大きく且つ枠体２４の熱膨張率よりも小さい。封止材６７がエンジニアリングプラスチック（例えば、ポリイミド樹脂、ポリカーボネート）を有する。なお、封止材６７がガラスを有するものでも良い。
【００７８】
キャップ４８の下面には、絶縁膜を介して葛折り状の電熱パターン６９が形成されている。この電熱パターン６９が室４２ｐに対応する位置にある。また、電熱パターン６９の両端部がパッド６９ａ，６９ｂになっている。この電熱パターン６９は電気抵抗が温度に依存する電熱材（例えば、金）を有するので、電熱パターン６９が電気抵抗型ヒータとして機能し、更に、電流及び電圧により温度を測定する温度センサとしても機能する。
【００７９】
キャップ４９の下面であってその右側にはパッド６８ｇ〜６８ｊが形成され、キャップ４９の下面であってその左側にはパッド６８ｅ〜６８ｆが形成されている。更に、キャップ４９の下面には、絶縁膜を介して葛折り状の電熱パターン６８ａ〜６８ｂ及び線状の配線６８ｃ〜６８ｄが形成されている。
【００８０】
キャップ４８とキャップ４９は別体であるので、電熱パターン６８ａ〜６８ｂ及び配線６８ｃ〜６８ｄが形成された面と電熱パターン６９が形成された面とは独立している。
【００８１】
電熱パターン６８ａはパッド６８ｉからパッド６８ｈにかけて形成され、室４２ｔに対応する位置にある。電熱パターン６８ｂはパッド６８ｇからパッド６８ｈにかけて形成され、室４２ｑに対応する位置にある。電熱パターン６８ａ〜６８ｂは電気抵抗が温度に依存する電熱材（例えば、金）を有するので、電熱パターン６８ａ〜６８ｂが電気抵抗型ヒータとして機能するとともに電流及び電圧により温度を測定する温度センサとしても機能する。配線６８ｄはパッド６８ｊからパッド６８ｆにかけて形成され、配線６８ｃはパッド６８ｈからパッド６８ｅにかけて形成されている。なお、電熱パターン６８ａ〜６８ｂ、配線６８ｃ〜６８ｄ及びパッド６８ｅ〜６８ｊは、キャップ４９の下面に絶縁膜を介して成膜された電熱材の膜をフォトリソグラフィー法・エッチング法により形状加工することによってパターニングされたものである。
【００８２】
そして、上蓋材２１、下蓋材２２及び枠体２４を有する箱体の内側では、ボンディングワイヤ７１の一端がリード線６１に、ボンディングワイヤ７１の他端がパッド６８ｇに、ボンディングワイヤ７２の一端がリード線６２に、ボンディングワイヤ７２の他端がパッド６８ｈに、ボンディングワイヤ７３の一端がリード線６３に、ボンディングワイヤ７３の他端がパッド６８ｉに、ボンディングワイヤ７４の一端がリード線６４に、ボンディングワイヤ７４の他端がパッド６８ｊに、ボンディングワイヤ７５の一端がパッド６９ａに、ボンディングワイヤ７５の他端がパッド６８ｆに、ボンディングワイヤ７６の一端がパッド６９ｂに、ボンディングワイヤ７６の他端がパッド６８ｅに接合されている。ボンディングワイヤ７１〜７６は何れも導電材である。そして、ボンディングワイヤ７５が電熱パターン６９と配線６８ｄとの間に架設されているので、電熱パターン６９と配線６８ｄが通電し、ボンディングワイヤ７６が電熱パターン６９と配線６８ｃとの間に架設されているので、電熱パターン６９と配線６８ｃが通電している。なお、リード線６１〜６４がボンディングワイヤ７１〜７４を介してパッド６８ｇ〜６８ｊに接続されているが、リード線６１〜６４がパッド６８ｇ〜６８ｊに直接接合されても良い。
【００８３】
また、枠体２４の内側に、ゲッター材７７が設けられ、このゲッター材７７がリード線６４，６５に接合されている。リード線６４，６５によってゲッター材７７に電圧が印加されると、ゲッター材７７が加熱されて活性化し、周囲のガスや微粒子を吸着する。ゲッター材７７のゲッター効果により、上蓋材２１、下蓋材２２及び枠体２４を有する密閉パッケージ内の真空度がゲッター作用により高まったり、維持されたりする。
【００８４】
発電装置１及び反応装置２の動作について説明する。
電力がリード線６１〜６４を通じて電熱パターン６８ａ〜６８ｂ，６９に供給され、電熱パターン６８ａ〜６８ｂ，６９が発熱する。電熱パターン６８ａ〜６８ｂ，６９が発熱している状態において、燃料カートリッジ３内の燃料と水がポンプによって燃料導入孔３１ｍに送られる。そして、燃料と水が領域３４ｎ〜４０ｎ内の吸液材５１に吸収され、電熱パターン６８ｂの熱により気化して、吸液材５１から蒸散する。吸液材５１から蒸散した燃料と水の混合気は、改質器６の室４２ｐに送られる。その混合気が室４２ｐから室３４ｐへ流動すると、その混合気が改質用触媒の作用を受けて反応し、水素等が生成される（例えば、上記化学反応式（１）、（２）参照）。燃料から水素に改質する改質反応は吸熱反応であり、電熱パターン６９等の熱が利用される。
【００８５】
生成された水素等は室４２ｔに送られる。更に、送風機等によって外部の空気が空気導入孔３１ｆへ送風され、空気が水素等と混合して室４２ｔに送られる。水素、一酸化炭素、空気等の混合気が室４２ｔから室３４ｔに流動すると、一酸化炭素が優先的に酸化し、一酸化炭素が選択的に除去される。一酸化炭素が酸化する選択酸化反応は発熱反応である。効率よく選択酸化反応が起きる温度は常温よりも高いため、一酸化炭素除去器７が電熱パターン６８ａによって加熱されている。
【００８６】
そして、水素等が室３４ｔから改質ガス排出孔３１ｊへ送られる。改質ガス排出孔３１ｊから排出された水素等は発電セル４の燃料極４ａに送られ、更に外部の空気が酸素極４ｂに送られ、発電セル４が電解質膜４ｃを通じた水素と酸素の電気化学反応により発電する。
【００８７】
燃料極４ａから排出されるオフガスに空気が混合されて、オフガスと空気の混合気が気化用オフガス導入孔３１ｌや改質用オフガス導入孔３１ｇに導入される。ここで、燃料極４ａでは水素が消費されるが、全ての水素が消費されるわけではなく、燃料極４ａから排出されるオフガスには水素が含まれている。
【００８８】
改質用オフガス導入孔３１ｇに導入された混合気は改質用燃焼器８の室３２ｐに送られる。そして、混合気が室３２ｐを流動すると、水素が燃焼用触媒の作用を受けて燃焼（酸化）する。水素の燃焼熱は、室４２ｐから室３４ｐまでの間における燃料の改質反応に利用される。
【００８９】
また、気化用オフガス導入孔３１ｌに導入された混合気は気化用燃焼器９の孔３２ｒに送られる。そして、混合気が孔３２ｒから孔３２ｑに流動すると、水素が燃焼用触媒の作用を受けて燃焼する。その水素の燃焼熱は、領域３４ｎ〜４０ｎにおける燃料と水の気化に利用される。
【００９０】
改質用燃焼器８及び気化用燃焼器９で燃焼した排ガスが燃焼排ガス排出孔３１ｋから排出される。
【００９１】
また、水がポンプによって冷却水導入孔３１ｈに送られ、水がスリット３２ｈからスリット３２ｉへ流動すると、一酸化炭素除去器７等の熱が水に吸収され、一酸化炭素除去器７等が冷却される。そして、加熱された水が冷却水排出孔３１ｉから排出される。
【００９２】
以上のように電熱パターン６８ａ〜６８ｂ，６９の発熱、気化器５の吸熱、改質器６の吸熱、一酸化炭素除去器７の発熱、改質用燃焼器８の発熱、気化用燃焼器９の発熱及び熱交換器１０の吸熱によって反応装置本体部２５に所定の温度分布が生じている。具体的には、高温反応部２５ｃの温度が２８０〜４００℃に設定され、低温反応部２５ｂに積層された部分（気化器５、一酸化炭素除去器７、気化用燃焼器９、熱交換器１０）の温度が１３０〜１８０℃に設定される。ここで、高温反応部２５ｃと低温反応部２５ｂとの間に間隔が設けられ、高温反応部２５ｃ及び低温反応部２５ｂよりも幅が狭く且つ厚みも薄い括れ部２５ｅが高温反応部２５ｃと低温反応部２５ｂを連結している。そのため、高温反応部２５ｃから低温反応部２５ｂへの熱伝導経路が括れ部２５ｅに限定されるので、それらの間に大きな温度差を生じさせることができる。
【００９３】
発電装置１及び反応装置２が起動してから所定時間経過後、電熱パターン６８ａ〜６８ｂ，６９の電圧印加が止められる。この場合でも、引き続き燃料と水が気化器５に供給される。そのため、気化器５の吸熱、改質器６の吸熱、一酸化炭素除去器７の発熱、改質用燃焼器８の発熱、気化用燃焼器９の発熱及び熱交換器１０の吸熱によって、高温反応部２５ｃの温度が２８０〜４００℃に維持され、低温反応部２５ｂの温度が１３０〜１８０℃に維持される。
【００９４】
反応装置本体部２５が上述のように温度分布を生じて熱的に平衡になっているとき、上蓋材２１、枠体２４及び下蓋材２２を有する箱体の温度が約１００℃になり、封止材６７の温度も約１００℃になり、その温度はポリイミドの耐熱温度（２５０℃）よりも低い。
【００９５】
本実施形態においては、低温反応部２５ｂの下面の配線６８ｃ〜６８ｄがボンディングワイヤ７５〜７６によって高温反応部２５ｃの下面の電熱パターン６９に通電し、配線６８ｃ〜６８ｄがボンディングワイヤ７３〜７４によってリード線６３〜６４に接続されているので、高温反応部２５ｃの熱は外部よりも高温な低温反応部２５ｂに一旦伝導する。そのため、高温反応部２５ｃの熱がリード線６３〜６４を通じて外部に漏出し難い。また、低温反応部２５ｂは高温反応部２５ｃよりも温度が低いため、高温反応部２５ｃと比較して低温反応部２５ｂの熱は外部に流出し難い。そのため、反応装置２における熱利用効率が高い。
【００９６】
また、括れ部２５ｅが高温反応部２５ｃや低温反応部２５ｂより薄いので、高温反応部２５ｃから低温反応部２５ｂへの熱伝導路が狭く、高温反応部２５ｃと低温反応部２５ｂの間隔が狭くとも、高温反応部２５ｃと低温反応部２５ｂを適正温度に保つことができる。そうしたなか、改質用燃焼器８や熱交換器１０が上層側の部材３１〜３３等によって構成されるから、流路の取り回しを考慮すると、改質用燃焼器８に水素や空気を送るための流路は上層側の部材３１〜３３に設けることが合理的である。そのため、高温反応部２５ｃと低温反応部２５ｂとを結ぶ流路は上層側の括れ部２５ｅに設けられ、括れ部２５ｅは上層側の部材３１〜３３から構成される。一方、改質用燃焼器８や熱交換器１０が上層側の部材３１〜３３等によって構成されるから、改質器６や一酸化炭素除去器７等を加熱する電熱パターン６８ａ〜６８ｂ，６９を高温反応部２５ｃの上面や低温反応部２５ｂの上面に形成することは好ましくない。そのため、電熱パターン６８ａ〜６８ｂや配線６８ｃ〜６８ｄが低温反応部２５ｂの下面に形成され、電熱パターン６９が高温反応部２５ｃの下面に形成されている。そうなると、電熱パターン６９と配線６８ｃ〜６８ｄの接続が問題になるが、本実施形態では、電熱パターン６９と配線６８ｃ〜６８ｄをボンディングワイヤ７５〜７６によって接続している。こうすることによって、高温反応部２５ｃから低温反応部２５ｂへの電熱を抑えつつ、高温反応部２５ｃと低温反応部２５ｂの間の隙間を小さくすることができる。それゆえ、反応装置２の大型化を抑えることができる。
【００９７】
また、改質器６は、枠部３４ｃ、多孔板３５ｃ、枠部３６ｃ、多孔板３７ｃ、枠部３８ｃ、多孔板３９ｃ、枠部４０ｃ、多孔板４１ｃ、枠部４２ｃ、枠部４３ｃ、キャップ４８を順に積層したものである。従って、改質器６を小型化することができる。同様に、一酸化炭素除去器７も枠部と多孔板を交互に積層してなるので、一酸化炭素除去器７を小型化することができる。特に、改質器６及び一酸化炭素除去器７を薄型化することができ、反応装置２全体も薄型化することができる。
【００９８】
また、予め形状加工された部材３１〜４３を積層して接合するだけで、反応装置本体部２５及び枠体２４を組み立てることができるので、反応装置２を簡単に作成することができる。
【００９９】
また、ガラス材又はポリイミド樹脂である封止材６７が貫通孔２４ａを閉塞しているから、上蓋材２１、下蓋材２２、枠体２４を有する箱体の気密性を高めることができる。そのため、上蓋材２１、下蓋材２２、枠体２４を有する箱体の断熱効果が高く、反応装置２のエネルギー利用効率が高い。
【０１００】
＜第２の実施の形態＞
第１実施形態では、キャップ４８とキャップ４９が別体であり、配線６８ｃ〜６８ｄが電熱パターン６９から離れているので、配線６８ｃ〜６８ｄと電熱パターン６９がボンディングワイヤ７５〜７６によって通電していた。それに対し、第２実施形態においては、キャップ４８とキャップ４９が一体とされている。
【０１０１】
具体的には、図２４に示すように、キャップ４８とキャップ４９が連結部４８ｂによって連結され、キャップ４８、キャップ４９及び連結部４８ｂによって一枚のプレート状となっている。キャップ４８、キャップ４９及び連結部４８ｂは平面視して連結部４８ｂにおいて括れた状態に形成され、キャップ４８の下面、キャップ４９の下面及び連結部４８ｂの下面が面一となっている。配線６８ｃ，６８ｄは連結部４８ｂの下面を通ってキャップ４９の下面まで形成され、電熱パターン６９に配線６８ｃ，６８ｄが通じている。そのため、第２実施形態においては、ボンディングワイヤ７５，７６が無く、配線６８ｃ、電熱パターン６９及び配線６８ｄがパッド６８ｈからパッド６８ｉにかけて１本の線状となる。また、電熱パターン６８ａ〜６８ｂ、電熱パターン６９、配線６８ｃ〜６８ｄ及びパッド６８ｇ〜６８ｊは、キャップ４８、キャップ４９及び連結部４８ｂの下面に絶縁膜を介して成膜された電熱材の膜をフォトリソグラフィー法・エッチング法により形状加工することによってパターニングされたものである。
【０１０２】
以上のことを除いて、第２実施形態の反応装置は第１実施形態の反応装置２と同様に設けられており、第２実施形態の反応装置と第１実施形態の反応装置２との間で互いに対応する部分が同様に設けられている場合には同一の符号を付す。そのため、図２４においては、上蓋材２１及び下蓋材２２の図示を省略するが、実際には枠体２４の上下に上蓋材２１及び下蓋材２２が接合されている。
【０１０３】
なお、本発明は、上記各実施の形態に限定されることなく、本発明の趣旨を逸脱しない範囲において、種々の改良並びに設計の変更を行っても良い。
【０１０４】
例えば、リード線６１〜６６がまとめて１つの貫通孔２４ａに通されているが、複数の貫通孔が枠体２４に形成され、１つの貫通孔につきリード線６１〜６６の何れか一本又は複数本が通されていても良い。この場合でも、何れの貫通孔にもポリイミド又はガラスの封止材が埋め込まれ、何れの貫通孔も閉塞されている。
【図面の簡単な説明】
【０１０５】
【図１】本発明の第１実施形態における反応装置を用いた発電装置が示されたブロック図である。
【図２】本発明の第１実施形態における反応装置が示された斜視図である。
【図３】上記反応装置を部分的に分解した状態で示した分解斜視図である。
【図４】上記反応装置を部分的に分解した状態で示した分解斜視図である。
【図５】上記反応装置の積層体からキャップを分解した状態で示した分解斜視図である。
【図６】上記積層体からキャップを分解した状態で示した分解斜視図である。
【図７】上記積層体の分解斜視図である。
【図８】上記積層体の１層目の部材を示した平面図である。
【図９】上記積層体の２層目の部材を示した平面図である。
【図１０】上記積層体の３層目の部材を示した平面図である。
【図１１】上記積層体の４層目の部材を示した平面図である。
【図１２】上記積層体の５層目の部材を示した平面図である。
【図１３】上記積層体の６層目の部材を示した平面図である。
【図１４】上記積層体の７層目の部材を示した平面図である。
【図１５】上記積層体の８層目の部材を示した平面図である。
【図１６】上記積層体の９層目の部材を示した平面図である。
【図１７】上記積層体の１０層目の部材を示した平面図である。
【図１８】上記積層体の１１層目の部材を示した平面図である。
【図１９】上記積層体の１２層目の部材を示した平面図である。
【図２０】上記積層体の１３層目の部材を示した平面図である。
【図２１】燃料と水から水素が生成される際の反応物の経路を示した図面である。
【図２２】オフガスが燃焼される際の反応物の経路を示した図面である。
【図２３】熱交換器における冷却水の経路を示した図面である。
【図２４】本発明の第２実施形態における反応装置の積層体が示された斜視図である。
【符号の説明】
【０１０６】
２  反応装置
２１  上蓋材
２２  下蓋材
２３  積層体
２４  枠体
２５  反応装置本体部
２５ｂ  低温反応部
２５ｃ  高温反応部
２５ｅ  括れ部
４８ｂ  連結部
６３、６４  リード線
６８ｃ、６８ｄ  配線
６９  電熱パターン
７５、７６  ボンディングワイヤ
【図１】
2008238000.tif 000003
【図２】
2008238000.tif 000004
【図３】
2008238000.tif 000005
【図４】
2008238000.tif 000006
【図５】
2008238000.tif 000007
【図６】
2008238000.tif 000008
【図７】
2008238000.tif 000009
【図８】
2008238000.tif 000010
【図９】
2008238000.tif 000011
【図１０】
2008238000.tif 000012
【図１１】
2008238000.tif 000013
【図１２】
2008238000.tif 000014
【図１３】
2008238000.tif 000015
【図１４】
2008238000.tif 000016
【図１５】
2008238000.tif 000017
【図１６】
2008238000.tif 000018
【図１７】
2008238000.tif 000019
【図１８】
2008238000.tif 000020
【図１９】
2008238000.tif 000021
【図２０】
2008238000.tif 000022
【図２１】
2008238000.tif 000023
【図２２】
2008238000.tif 000024
【図２３】
2008238000.tif 000025
【図２４】
2008238000.tif 000026